(57)【要約】【課題】監視者が伝送端末のトラブル状態の一括確認を容易に行える火災報知システムを提供する。【解決手段】火災に関連する情報を検知する伝送端末と、伝送端末よりの情報を受信して火災の発生あるいはトラブルの発生を表示するため伝送端末に接続される受信機とを有する火災報知システムにおける端末トラブル表示方法において、受信機が、伝送端末よりの検知情報に基づいて、火災が検知されたかあるいはトラブルが検知されたかを判定する工程と、トラブルが検知された場合、そのトラブルが発生した伝送端末を一括表示する工程と、を有する。【選択図】図４
2020064615.tif 000002
【特許請求の範囲】
【請求項１】
火災に関連する情報を得るための伝送端末と、前記伝送端末よりの情報を受信して火災の発生を表示する受信機とを有する火災報知システムであって、前記受信機は、前記伝送端末よりのトラブル情報に基づいて、前記トラブルが発生した伝送端末を一括表示することを特徴とする火災報知システム。
【請求項２】
前記伝送端末には、それぞれアドレス番号が付されており、前記伝送端末のトラブルが検知された場合、前記トラブルが発生した伝送端末のアドレス番号が一括表示されることを特徴とする請求項１に記載の火災報知システム。
【請求項３】
前記受信機は、火災が検知されたかあるいはトラブルが検知されたかを判定し、前記トラブルが検知された場合、前記伝送端末よりのトラブル情報に基づいて、前記トラブルが発生した伝送端末を一括表示することを特徴とする請求項２に記載の火災報知システム。
【請求項４】
前記トラブルが検知された場合、前記トラブルが発生した伝送端末の個々の情報が表示される通常トラブル表示がなされ、その通常トラブル表示の画面上に、前記伝送端末のアドレス番号の一括表示を選択するためのトラブル端末一覧ボタンが表示され、前記トラブル端末一覧ボタンが押された場合、前記伝送端末のアドレス番号が一括表示されることを特徴とする請求項３に記載の火災報知システム。
【請求項５】
前記トラブルが発生した伝送端末のアドレスの番号が、系統毎に、１つの表示画面に表示され、前記系統が、所定の領域に分割されて設定された呼称であることを特徴とする請求項２〜４のいずれかに記載の火災報知システム。
【請求項６】
前記所定の領域が、ビルに設置された大規模な火災報知システムおける各階の領域であることを特徴とする請求項５に記載の火災報知システム。
【請求項７】
火災に関連する情報を検知する伝送端末と、前記伝送端末よりの情報を受信して火災の発生あるいはトラブルの発生を表示するため前記伝送端末に接続される受信機とを有する火災報知システムにおける端末トラブル表示方法であって、
前記受信機が、前記伝送端末よりの情報に基づいて、火災が検知されたかあるいはトラブルが検知されたかを判定する工程と、
前記受信機が、前記トラブルが検知された場合、そのトラブルが発生した前記伝送端末を一括表示する工程と、を有することを特徴とする端末トラブル表示方法。
【請求項８】
前記伝送端末には、それぞれアドレス番号が付されており、前記伝送端末のアドレス番号が一括表示されることを特徴とする請求項７に記載の端末トラブル表示方法。
【請求項９】
前記トラブルが発生した伝送端末のアドレスの番号が、系統毎に、１つの表示画面に表示され、前記系統が、所定の領域に分割されて設定された呼称であり、前記所定の領域が、ビルに設置された大規模な火災報知システムおける各階の領域であることを特徴とする請求項８に記載の端末トラブル表示方法。
【発明の詳細な説明】
【技術分野】
【０００１】
本発明は、火災報知システムにおいて感知器等のトラブル状態を一括して確認することができる受信機および受信機における端末トラブル表示方法に関するものである。
【背景技術】
【０００２】
従来から、煙感知器や熱感知器等の火災感知器および制御中継器および監視入力中継器等の伝送端末を複数設置し、それらの伝送端末からの感知情報により火災を感知して報知する火災報知システムが知られている。
【０００３】
従来の火災報知システムとしては、以下のような構成が知られている。
【０００４】
表示部を有する受信機に、伝送端末が接続され、例えば、煙感知器や熱感知器等の感知情報が、受信機へ送られ、その感知情報が、受信機の表示部に表示される構成となっていた。
【０００５】
このような火災報知システムでは、受信機が、複数設置され伝送知端末のトラブルを検知して表示する機能を有していた。
【０００６】
従来の火災報知システムの受信機における伝送端末のトラブル表示機能には以下のような問題点があった。
【先行技術文献】
【特許文献】
【０００７】
【特許文献１】特開２０１２−７９０１２号公報
【特許文献２】特開２００５−２５５０６号公報
【発明の概要】
【発明が解決しようとする課題】
【０００８】
従来の火災報知システムにおける伝送端末のトラブル表示機能では、受信機の表示部に、トラブルが発生した個々の伝送端末のトラブルを表示するようになっていた。従って、火災報知システムの動作確認を行って伝送端末全体の動作状況を把握したいような場合には、作業者等の操作者の負担が大きくなってしまう問題があった。
【０００９】
すなわち、受信機によって、伝送端末全体の動作状況を把握したいような場合には、受信機の操作者は、個々の伝送端末を指定し、個々の伝送端末のトラブルの有無を受信機に表示して行き、トラブルを確認するしかなかった。
【００１０】
特に、オフィスビル等の施工中に、施工者が伝送端末全体の動作状況を把握確認しなければならないような状況では、施工者に大きな負担をかけてしまっていた。
【００１１】
すなわち、施工中のビルにおいて、施工者が、何階まで、伝送端末が正常に設置されているかを確認したいような場合、受信機において個々の伝送端末に設定されている製品番号を１つずつ検索していかねばならず、作業者の負担が大きくなってしまっていた。
【００１２】
例えば、５階まで伝送端末が設置されており、６階からは伝送端末が設置されていないような場合にも、受信機において製品番号の若い１階の伝送端末から順番に検索して行かなければならなかった。
【００１３】
このような作業は、施工者が受信機の扱いに慣れていないことを考え合わせると、非常に困難な作業と言わざるを得なかった。
【００１４】
本発明は、上記問題点に鑑みてなされたものであり、火災報知システムにおける伝送端末のトラブル状態の一括確認を容易に行うことができる受信機および端末トラブル表示方法を提供することを目的とする。
【課題を解決するための手段】
【００１５】
第１の発明は、火災に関連する情報を得るための伝送端末と、前記伝送端末よりの情報を受信して火災の発生を表示する受信機とを有する火災報知システムであって、前記受信機は、前記伝送端末よりのトラブル情報に基づいて、前記トラブルが発生した伝送端末を一括表示することである。
【００１６】
第２の発明は、第１の発明に係る火災報知システムにおいて、前記伝送端末には、それぞれアドレス番号が付されており、前記伝送端末のトラブルが検知された場合、前記トラブルが発生した伝送端末のアドレス番号が一括表示されることである。
【００１７】
第３の発明は、第２の発明に係る火災報知システムにおいて、前記受信機は、火災が検知されたかあるいはトラブルが検知されたかを判定し、前記トラブルが検知された場合、前記伝送端末よりのトラブル情報に基づいて、前記トラブルが発生した伝送端末を一括表示することである。
【００１８】
第４の発明は、第３の発明に係る火災報知システムにおいて、前記トラブルが検知された場合、前記トラブルが発生した伝送端末の個々の情報が表示される通常トラブル表示がなされ、その通常トラブル表示の画面上に、前記伝送端末のアドレス番号の一括表示を選択するためのトラブル端末一覧ボタンが表示され、前記トラブル端末一覧ボタンが押された場合、前記伝送端末のアドレス番号が一括表示されることである。
【００１９】
第５の発明は、第２〜４の発明のいずれかに係る火災報知システムにおいて、前記トラブルが発生した伝送端末のアドレスの番号が、系統毎に、１つの表示画面に表示され、前記系統が、所定の領域に分割されて設定された呼称であることである。
【００２０】
第６の発明は、第５の発明に係る火災報知システムにおいて、前記所定の領域が、ビルに設置された大規模な火災報知システムおける各階の領域である。
【００２１】
第７の発明は、火災に関連する情報を検知する伝送端末と、前記伝送端末よりの情報を受信して火災の発生あるいはトラブルの発生を表示するため前記伝送端末に接続される受信機とを有する火災報知システムにおける端末トラブル表示方法であって、前記受信機が、前記伝送端末よりの情報に基づいて、火災が検知されたかあるいはトラブルが検知されたかを判定する工程と、前記受信機が、前記トラブルが検知された場合、そのトラブルが発生した前記伝送端末を一括表示する工程と、を有することである。
【００２２】
第８の発明は、第７の発明に係る端末トラブル表示方法において、前記伝送端末には、それぞれアドレス番号が付されており、前記伝送端末のアドレス番号が一括表示されることである。
【００２３】
第９の発明は、第８の発明に係る端末トラブル表示方法において、前記トラブルが発生した伝送端末のアドレスの番号が、系統毎に、１つの表示画面に表示され、前記系統が、所定の領域に分割されて設定された呼称であり、前記所定の領域が、ビルに設置された大規模な火災報知システムおける各階の領域であることである。
【発明の効果】
【００２４】
本発明によれば、火災報知システムにおける伝送端末のトラブル状態の一括確認を容易に行うことができるという効果を奏する。
【図面の簡単な説明】
【００２５】
【図１】本発明に係る火災報知システムの一実施形態の全体図である。
【図２】図１に示した火災報知システム１における受信機３の表示部周辺を示す説明図である。
【図３】図１に示した火災報知システム１における受信機３の内部構成図である。
【図４】図１に示した火災報知システム１における受信機３の端末トラブル表示方法の動作フローチャートである。
【図５】図１に示した受信機３における表示部周辺の拡大説明図であり、通常トラブル表示の表示例を示している。
【図６】図１に示した受信機３における表示部周辺の拡大説明図であり、トラブル一括表示における表示例を示している。
【発明を実施するための形態】
【００２６】
以下、本発明の一実施形態について図面を参照しながら説明する。
【００２７】
図１は、本発明に係わる火災報知システムの一実施形態の全体図である。
【００２８】
図１に示すように、火災報知システム１は、後述する煙感知器や熱感知器等の火災感知器および防排煙中継器等の制御中継器および監視中継器等からなり火災に関連する情報を得る伝送端末と、伝送端末よりの情報を集約して表示する受信機３を有している。
【００２９】
なお、伝送端末よりの情報には、火災などの感知情報と伝送端末のトラブル情報とが含まれる。
【００３０】
受信機３には、感知器伝送線５が接続されており、その感知器伝送線５には、伝送端末として、アイソレータ７、９を介して、煙感知器１１、熱電対式検出器１３、アドレスアダプタ１５、一般感知器１７、専用終端器１９、熱感知器２１、アドレス付発信機２５−１、アドレスアダプタ接続用発信機２５−２、終端抵抗２６等が接続されている。なお、アドレス付発信機２５−１とアドレスアダプタ接続用発信機２５−２との間は電話線２５−３で接続され、その電話線２５−３は、受信機３に接続される。上述した感知器や検出器、発信機、アドレスアダプタには、それぞれアドレス番号が付けられている。
【００３１】
また、受信機３には、中継器伝送線２７が接続されており、その中継器伝送線２７には、伝送端末として、防排煙中継器２９、監視中継器３１、移信中継器３３、ガス漏れ中継器３５、地区音響中継器３７、一般Ｒ型中継器３９等の中継器が接続されており、防排煙中継器２９には防排煙機器２９ａ、監視中継器３１には諸警報機器３１ａ、移信中継器３３には他設備３３ａ、ガス漏れ中継器３５にはガス検知器３５ａ、地区音響中継器３７には地区ベル３７ａ、一般Ｒ型中継器３９には一般感知器３９ａが、それぞれ接続されている。
【００３２】
そして、上述した伝送端末には、それぞれアドレス番号が付けられている。
【００３３】
図２は、図１に示した火災報知システム１における受信機３の表示部周辺を示す説明図である。
【００３４】
図２に示すように、受信機３の前面には、感知情報を表示する表示灯部３ａと、液晶画面からなる液晶表示部３ｂが設けられている。また、液晶表示部３ｂと同じ面には、スイッチ群、つまり電話ジャックやスイッチ類、火災断定、受信機音響強制停止、ベル（地区音響）の一時停止と一時解除、火災復旧、設定（メンテナンス用）、主表示（主画面に戻る）、などが設けられている。
【００３５】
なお、液晶表示部３ｂには、火災報知の表示が行われると共に、後述するトラブル一括表示を含むトラブル表示が行われる。
【００３６】
図３は、図１に示した火災報知システム１における受信機３の内部構成図である。
【００３７】
図３に示すように、受信機３は、上述した煙感知器や熱感知器等の火災感知器および防排煙中継器等の制御中継器および監視中継器等の伝送端末よりの情報を集約して火災の発生あるいはトラブルの発生を表示する動作の制御を行う制御部３eと、制御部３eよりの表示情報を表示するため制御部３eに接続された表示部（３a、３ｂ）と、制御部３eへ電源を供給するため制御部３eに接続された電源部３fおよび蓄電部３gとを有している。
【００３８】
なお、制御部３eは、ＣＰＵ、ＲＡＭ、ＲＯＭを有しており、ＲＯＭ内には、火災報知の表示を行うと共に、後述するトラブル一括表示を含むトラブル表示を行うための表示プログラムが記憶され、その表示プログラムに基づいての表示動作がＣＰＵにより行われる。
【００３９】
次に、図１に示した火災報知システム１における受信機３の端末トラブル表示方法について説明する。
【００４０】
図４は、図１に示した火災報知システム１における受信機３の端末トラブル表示方法の動作フローチャートである。なお、以下の端末トラブル表示方法は、上述した表示プログラムに基づいて制御部３eにより行われる。
【００４１】
図４のステップ１０１において、火災検知あるいはトラブル検知がなされたか否かが判定される。
【００４２】
すなわち、受信機３の稼動中において、受信機３に接続された伝送端末よりの検知情報に基づいて、火災が検知されたか、あるいはトラブルが検知されたかが判定される。
【００４３】
なお、上記火災の検知およびトラブルの検知は、周知技術であるので詳しい説明は省略する。
【００４４】
ここで、トラブルとは、伝送端末のトラブルのことであり、以下の内容のいずれか１つあるいは複数となる。
【００４５】
伝送不良：受信機３との通信が出来ない状態、端末異常：伝送端末において発生した異常状態（受信機３とは伝送可能）、種別異常：本来接続されるべき伝送端末以外が接続されている状態、二次側断線：電線の断線状態（特定伝送端末だけが持つ機能）、二次側短絡：電線の短絡状態（特定伝送端末だけが持つ機能）。なお、伝送端末のトラブル検知は、そのトラブルの内容によって異なるタイミングでなされる。
【００４６】
上記ステップ１０１において、火災が検知されている場合、ステップ１０３において、通常の火災報知の表示が行われる。
【００４７】
すなわち、受信機３の表示部である液晶表示部３ｂには、火災表示と共に、火災場所等が表示される。なお、通常の火災報知は、周知技術であるので詳しい説明は省略する。
【００４８】
上記ステップ１０１において、トラブルが検知されている場合、ステップ１０５において、通常トラブル表示が行われる。
【００４９】
次に、ステップ１０７において、そのトラブル端末一覧ボタンが押されたか否かが判定され、トラブル端末一覧ボタンが押された場合、ステップ１０９において、所定範囲のトラブルを一括表示するトラブル一括表示が行われる。図５は、図１に示した受信機３における表示部周辺の拡大説明図であり、通常トラブル表示の表示例を示している。
【００５０】
図５に示すように、受信機３の液晶表示部３ｂには、通常トラブル表示では、トラブル表示の右横に、トラブルの内容およびトラブルが発生した箇所等が表示される。
【００５１】
すなわち、図５に示す表示例では、トラブルとして、電線の断線状態を示す二次側断線の状態およびトラブル箇所が表示されている。そして、上記通常トラブル表示では、図５に示すように、画面の右下に、トラブル一括表示を行うことを選択するためのトラブル端末一覧ボタンが表示される。
【００５２】
図６は、図１に示した受信機３における表示部周辺の拡大説明図であり、トラブル一括表示における表示例を示している。
【００５３】
図６に示すように、受信機３の液晶表示部３ｂには、トラブル一括表示では、系統１における全ての伝送端末の内、トラブルの発生した伝送端末のアドレス番号が表示される。
【００５４】
すなわち、図６に示す表示例では、感知器や熱感知器等の火災感知器および制御中継器および監視入力中継器等の伝送端末には、それぞれアドレス番号が付けられており、トラブルが発生した伝送端末のアドレスの番号を、系統毎に、１つの表示画面に表示するようになっている。なお、この表示例では、トラブル発生数も同時に表示されるようになっている。
【００５５】
ここで、系統とは、所定の領域に分割された各領域の呼称である。例えば、大きなビル等に設置された大規模な火災報知システム１においては、各階毎に分割されて設定された領域を系統と呼ぶ。図６に示す表示例では、系統１では、５階の領域に設置された伝送端末の内のトラブルが発生した伝送端末のアドレス番号が表示され、系統２では、６階の領域に設置された伝送端末の内のトラブルが発生した伝送端末のアドレス番号が表示され、系統３では、７階の領域に設置された伝送端末の内のトラブルが発生した伝送端末のアドレス番号が表示される。
【００５６】
なお、伝送端末の数が少ない小規模な火災報知システム１では、個別の系統を設けずに、全ての伝送端末を含む範囲のトラブルを一括表示しても良い。
【００５７】
図６に示す実施形態の表示例では、系統１である５階に設置された伝送端末の内、アドレス番号が、０、５、１０、１５、２０、３４、４１、４８、５０、５１、６０、７７、７９、８０、８５、９０、９５、１００、１１４、１２１、１２８、１３０、１３１、１４０、１５７、１５９、１６０、１６２、１６４、１６７、１７０、１７１、１７６、１７９、１８２、１８３、１８９、１９７、１９９の伝送端末にトラブルが発生し、そのトラブル発生数が３９であることが表示されている。
【００５８】
なお、この表示例では、オフィスビル等の施工中において、５階において、伝送端末が接続途中である場合を想定している。
【００５９】
このように、上述したトラブル一括表示では、所定の系統における全ての伝送端末の内のトラブルの発生した伝送端末のアドレス番号が表示されるので、施工者あるいは監視者は、どの伝送端末にトラブルが発生したのかを簡単な操作で確認できる。
【００６０】
また、図６に示す実施形態の表示例のように、オフィスビル等の階毎に、系統を設定するようにすれば、その系統を切替えることにより、どの階までの伝送端末の接続が完成したかを簡単に確認できる。
【００６１】
なお、図６に示す実施形態の表示例の場合、受信機３の扱いになれていない施工者でも、系統１である５階の伝送端末の接続は完成していないことを簡単に確認できる。
【００６２】
このように、本実施形態によれば、火災報知システムにおける伝送端末のトラブル状態の一括確認を容易に行うことができるようになる。
【００６３】
ここで、一括表示とは受信機の液晶表示部３ｂの画面にすべて表示されている状態を示し、スクロールや画面切り替えをしなくても表示されている状態をさしている。また、液晶表示部３ｂは液晶に限らず、有機ＥＬなどの他の表示装置でも良く、表示部を複数の表示装置で構成していてもよい。
【００６４】
本発明は前述の発明の実施の形態に限定されることなく、適宜な変更を行うことにより、その他の態様で実施し得るものである。
【００６５】
上記実施形態では、通常トラブル表示において、画面の右下に、トラブル一括表示を行うことを選択するためのトラブル端末一覧ボタンを表示し、そのトラブル端末一覧ボタンを押すことでトラブル一括表示に移るようにしていたが、通常トラブル表示およびトラブル一括表示のどちらか一方を選択するトラブル表示モード選択スイッチを液晶表示部３ｂと同じ面に設け、そのモード選択スイッチを操作することにより、通常トラブル表示およびトラブル一括表示のどちらか一方を選択するようにしても良い。
【００６６】
また、上記実施形態では、火災検知あるいはトラブル検知の内で、トラブル検知が行われた場合にのみ、トラブル一括表示を行うようにしていたが、トラブル一括表示スイッチを液晶表示部３ｂと同じ面に設け、火災検知あるいはトラブル検知に関係なく、トラブル一括表示スイッチを操作することにより、トラブル一括表示を行うようにしても良い。
【符号の説明】
【００６７】
１…火災報知システム
３…受信機
５…感知器伝送線
７、９…アイソレータ
１１…煙感知器
１３…熱電対式検出器
１５…アドレスアダプタ
１７…一般感知器
１９…専用終端器
２１…熱感知器
２５−１、２５−２…発信機
２６…終端抵抗
２７…中継器伝送線
２９…防排煙中継器
３１…監視中継器
３３…移信中継器
３５…ガス漏れ中継器
３７…地区音響中継器
３９…一般Ｒ型中継器
【図１】
2020064615.tif 000003
【図２】
2020064615.tif 000004
【図３】
2020064615.tif 000005
【図４】
2020064615.tif 000006
【図５】
2020064615.tif 000007
【図６】
2020064615.tif 000008